(57)【要約】【課題】本発明は、洗濯後のレーヨンを含む繊維のすべり感に優れ、かつ、液体安定性に優れる衣料用繊維処理剤組成物を目的とする。【解決手段】（Ａ）成分：特定の構造を有するポリマーと、（Ｂ）成分：特定の構造を有するアルキルアミドアミンと、（Ｃ）成分：特定の構造を有するノニオン界面活性剤（ｃ１）と、前記ノニオン界面活性剤（ｃ１）を除くノニオン界面活性剤（ｃ２）と、を含有する、衣料用繊維処理剤組成物。【選択図】なし【特許請求の範囲】
【請求項１】
（Ａ）成分：下記式（ａ−１）で表される繰り返し単位、及び下記式（ａ−２）で表される繰り返し単位からなる群から選択される少なくとも１種の繰り返し単位を有するポリマーと、
（Ｂ）成分：下記式（ｂ−１）で表されるアルキルアミドアミンと、
（Ｃ）成分：下記式（ｃ−１）で表されるノニオン界面活性剤（ｃ１）と、前記ノニオン界面活性剤（ｃ１）を除くノニオン界面活性剤（ｃ２）と、を含有する、衣料用繊維処理剤組成物。
【化１】
2020143257.tif 000017
［式（ａ−１）中、Ｒ１、Ｒ２は、それぞれ独立して炭素数１〜３のアルキル基又は炭素数１〜３のヒドロキシアルキル基であり、Ｘ−は対イオンである。式（ａ−２）中、Ｒ３、Ｒ４は、それぞれ独立して炭素数１〜３のアルキル基又は炭素数１〜３のヒドロキシアルキル基であり、Ｘ−は対イオンである。］
【化２】
2020143257.tif 000018
［式（ｂ−１）中、Ｒ１０は、炭素数９〜２３の直鎖又は分岐鎖の炭化水素基である。Ｒ１１は、炭素数１〜４の直鎖又は分岐鎖のアルキレン基である。Ｒ１２及びＲ１３は、それぞれ独立に炭素数１〜４の直鎖もしくは分岐鎖のアルキル基、炭素数１〜４の直鎖もしくは分岐鎖のヒドロキシアルキル基、又はオキシエチレン基の平均繰り返し数が１〜２５の（ポリ）オキシエチレン基である。］
Ｒ２１−Ｏ−（ＥＯ）ｍ（ＰＯ）ｎ−Ｈ  ・・・（ｃ−１）
［式（ｃ−１）中、Ｒ２１は、分岐鎖を有する炭素数１０〜１６のアルキル基、又は炭素数８〜１６の直鎖アルキル基であり、前記直鎖アルキル基に酸素原子が結合する炭素原子は、２級の炭素原子である。ＥＯは、オキシエチレン基を表し、ＰＯは、オキシプロピレン基を表す。ｍはＥＯの平均繰り返し数を表し、２〜１０の数である。ｎはＰＯの平均繰り返し数を表し、０〜６の数である。］
【請求項２】
前記（Ａ）成分が、下記式（ａ−３）で表される繰り返し単位をさらに有する、請求項１に記載の衣料用繊維処理剤組成物。
【化３】
2020143257.tif 000019
［式（ａ−３）中、Ｒ５は、水素原子又は炭素数１〜３のアルキル基であり、Ｒ６、Ｒ７は、それぞれ独立して、水素原子又は炭素数１〜３のアルキル基もしくは炭素数１〜３のヒドロキシアルキル基である。］
【請求項３】
前記（Ａ）成分における前記式（ａ−１）で表される繰り返し単位と、前記式（ａ−２）で表される繰り返し単位との合計の含有量と、前記式（ａ−３）で表される繰り返し単位の含有量との比が、１０：９０〜８０：２０である、請求項２に記載の衣料用繊維処理剤組成物。
【請求項４】
洗浄剤組成物である、請求項１〜３のいずれか一項に記載の衣料用繊維処理剤組成物。
【発明の詳細な説明】
【技術分野】
【０００１】
本発明は、衣料用繊維処理剤組成物に関する。
【背景技術】
【０００２】
近年、触るとひんやりと感じる（接触冷感）素材やシルクのような肌触りを実現する素材として、レーヨンが用いられることが増えている。レーヨンを含む繊維は、ドレスやジャケット、スーツの裏地や下着等のいわゆる「おしゃれ着」に用いられる。おしゃれ着を洗濯した場合の仕上がりの実感ポイントとしては、すべるような触感（すべり感）が挙げられる。
レーヨンを含む繊維は、すべり感に優れるが、洗濯することで生地のごわつきが発生したり、生地に皺が発生しやすかったりして、すべり感が低減することが問題であった。
【０００３】
例えば、特許文献１には、特定の構造を有する水溶性ポリマーと、アルキルアミドアミンと、水不溶性シリコーンとを含有する繊維製品用の洗浄剤が提案されている。特許文献１の繊維製品用の洗浄剤は、ウールやポリエステル等のすべり感の向上が図られている。
例えば、特許文献２には、特定の構造を有するポリマーと、ノニオン界面活性剤と、アニオン界面活性剤とを含有する衣料用洗剤が提案されている。特許文献２の衣料用洗剤は、綿タオルのふんわりとしたボリュームのある感触（ふんわり感）の向上が図られている。
【先行技術文献】
【特許文献】
【０００４】
【特許文献１】特開２０１５−１２７３６９号公報
【特許文献２】特開２０１６−１１３６０６号公報
【発明の概要】
【発明が解決しようとする課題】
【０００５】
しかしながら、特許文献１及び２では、洗濯後のレーヨンを含む繊維のすべり感の向上については、配慮されていない。
加えて、衣料用洗剤等の衣料用繊維処理剤組成物には、固形分が析出せず、液が白濁しないこと（液体安定性）が求められる。
【０００６】
本発明は、上記事情に鑑みてなされたものであり、洗濯後のレーヨンを含む繊維のすべり感に優れ、かつ、液体安定性に優れる衣料用繊維処理剤組成物を目的とする。
【課題を解決するための手段】
【０００７】
鋭意検討を重ねた結果、本発明者等は、特定の構造を有するポリマーと、アルキルアミドアミンと、２種類のノニオン界面活性剤とを組み合わせることで、上記課題を解決できることを見出した。
すなわち、本発明は、以下の態様を有する。
【０００８】
［１］（Ａ）成分：下記式（ａ−１）で表される繰り返し単位、及び下記式（ａ−２）で表される繰り返し単位からなる群から選択される少なくとも１種の繰り返し単位を有するポリマーと、
（Ｂ）成分：下記式（ｂ−１）で表されるアルキルアミドアミンと、
（Ｃ）成分：下記式（ｃ−１）で表されるノニオン界面活性剤（ｃ１）と、前記ノニオン界面活性剤（ｃ１）を除くノニオン界面活性剤（ｃ２）と、を含有する、衣料用繊維処理剤組成物。
【０００９】
【化１】
2020143257.tif 000002
【００１０】
［式（ａ−１）中、Ｒ１、Ｒ２は、それぞれ独立して炭素数１〜３のアルキル基又は炭素数１〜３のヒドロキシアルキル基であり、Ｘ−は対イオンである。式（ａ−２）中、Ｒ３、Ｒ４は、それぞれ独立して炭素数１〜３のアルキル基又は炭素数１〜３のヒドロキシアルキル基であり、Ｘ−は対イオンである。］
【００１１】
【化２】
2020143257.tif 000003
【００１２】
［式（ｂ−１）中、Ｒ１０は、炭素数９〜２３の直鎖又は分岐鎖の炭化水素基である。Ｒ１１は、炭素数１〜４の直鎖又は分岐鎖のアルキレン基である。Ｒ１２及びＲ１３は、それぞれ独立に炭素数１〜４の直鎖もしくは分岐鎖のアルキル基、炭素数１〜４の直鎖もしくは分岐鎖のヒドロキシアルキル基、又はオキシエチレン基の平均繰り返し数が１〜２５の（ポリ）オキシエチレン基である。］
Ｒ２１−Ｏ−（ＥＯ）ｍ（ＰＯ）ｎ−Ｈ  ・・・（ｃ−１）
［式（ｃ−１）中、Ｒ２１は、分岐鎖を有する炭素数１０〜１６のアルキル基、又は炭素数８〜１６の直鎖アルキル基であり、前記直鎖アルキル基に酸素原子が結合する炭素原子は、２級の炭素原子である。ＥＯは、オキシエチレン基を表し、ＰＯは、オキシプロピレン基を表す。ｍはＥＯの平均繰り返し数を表し、２〜１０の数である。ｎはＰＯの平均繰り返し数を表し、０〜６の数である。］
［２］前記（Ａ）成分が、下記式（ａ−３）で表される繰り返し単位をさらに有する、［１］に記載の衣料用繊維処理剤組成物。
【００１３】
【化３】
2020143257.tif 000004
【００１４】
［式（ａ−３）中、Ｒ５は、水素原子又は炭素数１〜３のアルキル基であり、Ｒ６、Ｒ７は、それぞれ独立して、水素原子又は炭素数１〜３のアルキル基もしくは炭素数１〜３のヒドロキシアルキル基である。］
［３］前記（Ａ）成分における前記式（ａ−１）で表される繰り返し単位と、前記式（ａ−２）で表される繰り返し単位との合計の含有量と、前記式（ａ−３）で表される繰り返し単位の含有量との比が、１０：９０〜８０：２０である、［２］に記載の衣料用繊維処理剤組成物。
［４］（Ｄ）成分：高級脂肪酸塩を除くアニオン界面活性剤、をさらに含有する、［１］〜［３］のいずれか一項に記載の衣料用繊維処理剤組成物。
［５］（Ｅ）成分：キレート剤、をさらに含有する、［１］〜［４］のいずれか一項に記載の衣料用繊維処理剤組成物。
［６］前記（Ｂ）成分／前記（Ａ）成分で表される質量比が０．０１〜２００である、［１］〜［５］のいずれか一項に記載の衣料用繊維処理剤組成物。
［７］前記（ｃ１）成分／前記（Ａ）成分で表される質量比が０．１〜５００である、［１］〜［６］のいずれか一項に記載の衣料用繊維処理剤組成物。
［８］前記（Ｃ）成分の含有量が、総質量に対して、１．１〜５０質量％である、［１］〜［７］のいずれか一項に記載の衣料用繊維処理剤組成物。
［９］前記（Ｅ）成分／前記（Ａ）成分で表される質量比が０．０１〜２０である、［１］〜［８］のいずれか一項に記載の衣料用繊維処理剤組成物。
［１０］洗浄剤組成物である、［１］〜［９］のいずれか一項に記載の衣料用繊維処理剤組成物。
【発明の効果】
【００１５】
本発明の衣料用繊維処理剤組成物によれば、洗濯後のレーヨンを含む繊維のすべり感に優れ、かつ、液体安定性に優れる。
【発明を実施するための形態】
【００１６】
本明細書において、「レーヨン」とは、セルロースの再生繊維の総称をいう。
「レーヨンを含む繊維」とは、総質量に対してレーヨンを０質量超含む繊維をいう。レーヨンを含む繊維におけるレーヨンの含有量は、特に限定されないが、本発明の効果が得られやすい観点から、例えば、５０質量％以上が好ましく、７０質量％以上がより好ましく、１００質量％でもよい。ここで、レーヨンの含有量は、ＪＩＳ  Ｌ１０３０−２：２０１２「繊維製品の混用率試験方法−第２部：繊維混用率」に記載の解じょ法、溶解法又は顕微鏡法のいずれかの試験方法で求めることができる。
「レーヨンを含む繊維」としては、例えば、ブラウス、カットソー、シャツ、下着、ジャケット、ドレス、スカーフ、ハンカチ、スーツの裏地、スカートの裏地等が挙げられる。
【００１７】
［衣料用繊維処理剤組成物］
本発明の衣料用繊維処理剤組成物は、（Ａ）成分、（Ｂ）成分、及び（Ｃ）成分を含有する組成物である。
なお、本明細書において、「衣料用繊維処理剤組成物」とは、衣料等の繊維製品に付着した汚れを洗浄できる洗浄剤に加え、衣料等の繊維製品に様々な機能を付与できる組成物をいうものとする。「様々な機能」としては、柔軟性、撥水性、耐久性、抗菌性等が挙げられる。「衣料等の繊維製品」としては、コート、ジャンパー、ジャケット、スーツ、セーター、シャツ、ズボン、スカート、下着、靴下等の衣料のほか、タオル、ハンカチ、ネクタイ、マフラー、帽子、手袋、帯、紐等、洗濯又はクリーニングの対象となる被洗物を含むものとする。
【００１８】
＜（Ａ）成分＞
（Ａ）成分は、下記式（ａ−１）で表される繰り返し単位、及び下記式（ａ−２）で表される繰り返し単位からなる群から選択される少なくとも１種の繰り返し単位を有するポリマーである。本発明の衣料用繊維処理剤組成物は、（Ａ）成分を含有することで、洗濯後のレーヨンを含む繊維に対して、すべり感を向上させることができる。
【００１９】
【化４】
2020143257.tif 000005
【００２０】
式（ａ−１）中、Ｒ１、Ｒ２は、それぞれ独立して炭素数１〜３のアルキル基又は炭素数１〜３のヒドロキシアルキル基であり、Ｘ−は対イオンである。
式（ａ−２）中、Ｒ３、Ｒ４は、それぞれ独立して炭素数１〜３のアルキル基又は炭素数１〜３のヒドロキシアルキル基であり、Ｘ−は対イオンである。
【００２１】
（Ａ）成分は、下記式（ａ−３）で表される繰り返し単位をさらに有することが好ましい。
【００２２】
【化５】
2020143257.tif 000006
【００２３】
式（ａ−３）中、Ｒ５は、水素原子又は炭素数１〜３のアルキル基であり、Ｒ６、Ｒ７は、それぞれ独立して、水素原子又は炭素数１〜３のアルキル基もしくは炭素数１〜３のヒドロキシアルキル基である。
【００２４】
なお、上記式（ａ−１）で表される繰り返し単位、及び上記式（ａ−２）で表される繰り返し単位は、下記式（ａ−４）で表されるジアルキルジアリルアンモニウム塩モノマーに由来する繰り返し単位である。
【００２５】
【化６】
2020143257.tif 000007
【００２６】
式（ａ−４）中、Ｒ８、Ｒ９は、それぞれ独立して、炭素数１〜３のアルキル基又は炭素数１〜３のヒドロキシアルキル基であり、Ｘ−は対イオンである。
【００２７】
上記式（ａ−１）、（ａ−２）及び（ａ−４）におけるＸ−としては、塩化物イオン、臭化物イオン等のハロゲン化物イオン；硫酸イオン、硝酸イオン、亜硫酸イオン等の無機酸イオン；メチル硫酸イオン、酢酸イオン、乳酸イオン等の有機酸イオン等が挙げられる。
【００２８】
（Ａ）成分の質量平均分子量は、１，０００〜５，０００，０００が好ましく、３，０００〜２，０００，０００がより好ましく、１０，０００〜２，０００，０００がさらに好ましい。なお、本明細書における質量平均分子量は、ポリエチレングリコールを標準物質として、ゲル浸透クロマトグラフィー（ＧＰＣ）により求めた値を意味する。
【００２９】
（Ａ）成分の重合の形態は、特に限定されず、ブロック重合、ランダム重合又はグラフト重合のいずれであってもよい。
（Ａ）成分中の式（ａ−１）で表される繰り返し単位と、式（ａ−２）で表される繰り返し単位との合計の含有量と、式（ａ−３）で表される繰り返し単位の含有量との比は特に限定されない。式（ａ−１）で表される繰り返し単位と、式（ａ−２）で表される繰り返し単位との合計の含有量と、式（ａ−３）で表される繰り返し単位の含有量との比は、モル比で、１０：９０〜８０：２０が好ましく、２０：８０〜６０：４０がより好ましい。
【００３０】
上記式（ａ−１）で表される繰り返し単位、及び上記式（ａ−２）で表される繰り返し単位からなる群から選択される少なくとも１種の繰り返し単位を有するポリマーとしては、ジアリルジメチルアンモニウムクロライドから誘導されるポリマーが挙げられる。上記ポリマーの市販品としては、例えば、Ｌｕｂｒｉｚｏｌ社製の商品名「マーコート１００」が挙げられる。
【００３１】
上記式（ａ−１）で表される繰り返し単位、及び上記式（ａ−２）で表される繰り返し単位からなる群から選択される少なくとも１種の繰り返し単位と、上記式（ａ−３）で表される繰り返し単位とを有するポリマーとしては、ジアリルジメチルアンモニウムクロライド・アクリルアミドコポリマー、ジアリルジメチルアンモニウムクロライド・アクリルアミド・アクリル酸ターポリマー等が挙げられる。
これらのポリマーとしては、合成品を用いてもよいし、市販品を用いてもよい。
【００３２】
上記式（ａ−１）で表される繰り返し単位、及び上記式（ａ−２）で表される繰り返し単位からなる群から選択される少なくとも１種の繰り返し単位と、上記式（ａ−３）で表される繰り返し単位とを有するポリマーは、特に限定されないが、通常のラジカル重合により製造できる。例えば、ジアリルジメチルアンモニウムクロライドや、アクリルアミド等の（Ａ）成分を構成するモノマーを、塊状重合、溶液重合、乳化重合、懸濁重合等の重合方法により重合することで製造できる。また、重合の際には、通常のラジカル重合に用いられる重合開始剤を使用することが好ましく、例えば、ベンゾイルパーオキサイド、過硫酸カリウム等の過酸化物；アゾビスイソブチロニトリル、アゾビスシアノ吉草酸等のアゾ化合物を用いることができる。
【００３３】
ジアリルジメチルアンモニウムクロライド・アクリルアミドコポリマーの市販品としては、例えば、Ｌｕｂｒｉｚｏｌ社製の商品名「マーコート５５０」、「マーコート７４０」、「マーコート２２００」、「Ｎｏｖｅｒｉｔｅ３００」、「Ｎｏｖｅｒｉｔｅ３０２」等が挙げられる。
また、ジアリルジメチルアンモニウムクロライド・アクリルアミド・アクリル酸ターポリマーの市販品としては、例えば、Ｌｕｂｒｉｚｏｌ社製の商品名「マーコート３３３０」、「マーコート３９４０」等が挙げられる。
【００３４】
（Ａ）成分の含有量は、衣料用繊維処理剤組成物の総質量に対して、０．００１〜５質量％が好ましく、０．０１〜３質量％がより好ましく、０．１〜３質量％がさらに好ましく、０．１〜１質量％が特に好ましい。（Ａ）成分の含有量が上記下限値以上であると、洗濯後のレーヨンを含む繊維に充分なすべり感を付与できる。（Ａ）成分の含有量が上記上限値以下であると、液体安定性を向上しやすい。
（Ａ）成分は、１種単独で用いてもよく、２種以上を併用してもよい。
【００３５】
＜（Ｂ）成分＞
（Ｂ）成分は、下記式（ｂ−１）で表されるアルキルアミドアミンである。本発明の衣料用繊維処理剤組成物は、（Ｂ）成分を含有することで、洗濯後のレーヨンを含む繊維に対して、すべり感を向上させることができる。
【００３６】
【化７】
2020143257.tif 000008
【００３７】
式（ｂ−１）中、Ｒ１０は、炭素数９〜２３の直鎖又は分岐鎖の炭化水素基である。Ｒ１０の炭素数は１５〜２１が好ましい。Ｒ１０の炭素数が上記数値範囲内であると、レーヨンを含む繊維のすべり感をより向上し、液体安定性をより向上できる。
Ｒ１０は、飽和炭化水素基でもよく、不飽和炭化水素基でもよい。
Ｒ１１は、炭素数１〜４の直鎖又は分岐鎖のアルキレン基である。Ｒ１１の炭素数は２〜３が好ましい。Ｒ１１の炭素数が上記数値範囲内であると、レーヨンを含む繊維のすべり感をより向上し、液体安定性をより向上できる。
Ｒ１２及びＲ１３は、それぞれ独立に炭素数１〜４の直鎖もしくは分岐鎖のアルキル基、炭素数１〜４の直鎖もしくは分岐鎖のヒドロキシアルキル基、又はオキシエチレン基の平均繰り返し数が１〜２５の（ポリ）オキシエチレン基である。
Ｒ１２及びＲ１３は、メチル基又はエチル基であることが好ましい。
【００３８】
（Ｂ）成分としては、例えば、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミド等の長鎖脂肪族アミドジアルキル３級アミン；パルミテートエステルプロピルジメチルアミン、ステアレートエステルプロピルジメチルアミン等の脂肪族エステルジアルキル３級アミン；パルミチン酸ジエタノールアミノプロピルアミド、ステアリン酸ジエタノールアミノプロピルアミド等の３級アミンが挙げられる。
中でも、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミドが好ましい。
【００３９】
（Ｂ）成分は、衣料用繊維処理剤組成物中、又は衣料用繊維処理剤組成物を水に溶解した洗浄液中で塩の形で存在していてもよい。
（Ｂ）成分の塩としては、（Ｂ）成分を酸で中和した酸塩等が挙げられる。中和に用いられる酸としては、例えば、塩酸、硫酸、硝酸、リン酸、グリコール酸、乳酸、クエン酸、ポリアクリル酸、パラトルエンスルホン酸、クメンスルホン酸等が挙げられる。これらの酸は、１種単独で用いてもよく、２種以上を併用してもよい。
【００４０】
（Ｂ）成分は、市販品でもよいし、以下の方法により製造されたものでもよい。長鎖脂肪族アミドジアルキル３級アミン等の脂肪族アミドアルキル３級アミンは、例えば、以下の方法により製造される。
脂肪酸又は脂肪酸誘導体（脂肪酸低級アルキルエステル（ここで、「低級アルキル」は、炭素数７以下のアルキル基をいう。）、動物性油脂又は植物性油脂等）と、ジアルキル（又はアルカノール）アミノアルキルアミンとを縮合反応させ、その後、未反応のジアルキル（又はアルカノール）アミノアルキルアミンを減圧又は窒素ブローにて留去することにより脂肪族アミドアルキル３級アミンを製造できる。
ここで、脂肪酸又は脂肪酸誘導体としては、ミリスチン酸、パルミチン酸、ステアリン酸、オレイン酸、ベヘニン酸、エルカ酸、１２−ヒドロキシステアリン酸、ヤシ油脂肪酸、綿実油脂肪酸、とうもろこし油脂肪酸、牛脂脂肪酸、パーム核油脂肪酸、大豆油脂肪酸、アマニ油脂肪酸、ヒマシ油脂肪酸、オリーブ油脂肪酸等の植物油又は動物油脂肪酸や、これらのメチルエステル、エチルエステル、グリセライド等が挙げられ、中でも、パルミチン酸、ステアリン酸、オレイン酸、ベヘニン酸等が好ましい。これら脂肪酸又は脂肪酸誘導体は、１種単独で用いられてもよく、２種以上が併用されてもよい。
ジアルキル（又はアルカノール）アミノアルキルアミンとしては、例えば、ジメチルアミノプロピルアミン、ジメチルアミノエチルアミン、ジエチルアミノプロピルアミン、ジエチルアミノエチルアミン等が挙げられ、中でも、ジメチルアミノプロピルアミンが好ましい。
【００４１】
（Ｂ）成分の市販品としては、例えば、ライオン（株）製のアミドアミンＡＰＡ−１６８−６５Ｅ等が挙げられる。
【００４２】
（Ｂ）成分の含有量は、衣料用繊維処理剤組成物の総質量に対して、０．０１〜１０質量％が好ましく、０．１〜５質量％がより好ましく、０．１〜３質量％がさらに好ましく、０．５〜２質量％が特に好ましい。（Ｂ）成分の含有量が上記下限値以上であると、レーヨンを含む繊維のすべり感を向上しやすい。（Ｂ）成分の含有量が上記上限値以下であると、液体安定性を向上しやすい。
（Ｂ）成分は、１種単独で用いてもよく、２種以上を併用してもよい。
【００４３】
（Ｂ）成分は、（Ａ）成分と併用することで、（Ａ）成分との複合体を形成し、レーヨンを含む繊維のすべり感の向上の相乗効果を発揮する。
（Ｂ）成分／（Ａ）成分で表される質量比（以下、Ｂ／Ａ比ともいう。）は、０．０１〜２００が好ましく、０．０５〜１００がより好ましく、０．１〜２０がさらに好ましく、０．１〜１０が特に好ましい。Ｂ／Ａ比が上記数値範囲内であると、レーヨンを含む繊維のすべり感をより向上できる。
【００４４】
＜（Ｃ）成分＞
（Ｃ）成分は、下記式（ｃ−１）で表されるノニオン界面活性剤（ｃ１）と、ノニオン界面活性剤（ｃ１）を除くノニオン界面活性剤（ｃ２）である。本発明の衣料用繊維処理剤組成物は、（Ｃ）成分を含有することで、繊維製品等から汚れを除去できる。また、（Ｃ）成分を含有することで、（Ａ）成分と（Ｂ）成分とが繊維製品等に浸透しやすくなり、洗濯後のレーヨンを含む繊維のすべり感をより向上できる。
【００４５】
Ｒ２１−Ｏ−（ＥＯ）ｍ（ＰＯ）ｎ−Ｈ  ・・・（ｃ−１）
式（ｃ−１）中、Ｒ２１は、分岐鎖を有する炭素数１０〜１６のアルキル基、又は炭素数８〜１６の直鎖アルキル基であり、前記直鎖アルキル基に酸素原子が結合する炭素原子は、２級の炭素原子である。ＥＯは、オキシエチレン基を表し、ＰＯは、オキシプロピレン基を表す。ｍはＥＯの平均繰り返し数を表し、２〜１０の数である。ｎはＰＯの平均繰り返し数を表し、０〜６の数である。
【００４６】
（（ｃ１）成分）
（ｃ１）成分は、上記式（ｃ−１）で表されるノニオン界面活性剤である。（ｃ１）成分は、繊維製品等から汚れを除去する洗浄成分として機能する。また、衣料用繊維処理剤組成物は、（ｃ１）成分を含有することで、（Ａ）成分と（Ｂ）成分とが繊維製品等に浸透しやすくなり、洗濯後のレーヨンを含む繊維のすべり感をより向上できる。
【００４７】
式（ｃ−１）中、Ｒ２１は、分岐鎖を有する炭素数１０〜１６のアルキル基であることが好ましく、分岐鎖を有する炭素数１２〜１４のアルキル基であることがより好ましい。また、Ｒ２１が、炭素数８〜１６の直鎖アルキル基の場合、Ｒ２１は、前記直鎖アルキル基に酸素原子が結合する炭素原子は、２級の炭素原子（すなわち、第２級アルキル基）であり、Ｒ２１の炭素数は、１２〜１４が好ましい。
ｍは、２〜１０の数であり、２〜８が好ましい。
ｎは、０〜６の数である。
ｍ＋ｎは、２〜１６が好ましく、２〜１４がより好ましく、２〜１０がさらに好ましい。
（ｃ１）成分は、液体安定性に優れる観点から、オキシエチレン基のみであることが好ましい。（ｃ１）成分が、オキシエチレン基とオキシプロピレン基の両方を有する場合、オキシエチレン基とオキシプロピレン基とは、ランダムに付加されていてもよく、ブロック付加であってもよい。
【００４８】
（ｃ１）成分としては、市販品を用いてもよい。（ｃ１）成分の市販品としては、例えば、三菱ケミカル（株）製のダイヤドール（登録商標）（Ｃ１３、Ｃの次の数字は、アルコールの炭素数を示す。以下同様。）、Ｓｈｅｌｌ社製のＮｅｏｄｏｌ（登録商標）（Ｃ１２とＣ１３との混合物）、Ｓａｓｏｌ社製のＳａｆｏｌ（登録商標）２３（Ｃ１２とＣ１３との混合物）、ＥＸＸＡＬ（登録商標）１３（Ｃ１３）等のアルコール１モルに対して、３〜１０モル相当のエチレンオキシドを付加したもの；ブテンを３量化して得られる炭素数１２のアルケンをオキソ法に供して得られるＣ１３のアルコールに対して、３又は５モル相当、もしくは７モル相当のエチレンオキシドを付加したもの（Ｌｕｔｅｎｓｏｌ（登録商標）ＴＯ３、Ｌｕｔｅｎｓｏｌ（登録商標）ＴＯ５、Ｌｕｔｅｎｓｏｌ（登録商標）ＴＯ７、ＢＡＳＦ社製）；ペンタノールをガーベット反応に供して得られるＣ１０のアルコールに対して、９モル相当のエチレンオキシドを付加したもの（Ｌｕｔｅｎｓｏｌ（登録商標）ＸＰ９０、ＢＡＳＦ社製）；ペンタノールをガーベット反応に供して得られるＣ１０のアルコールに対して、７モル相当のエチレンオキシドを付加したもの（Ｌｕｔｅｎｓｏｌ（登録商標）ＸＬ７０、ＢＡＳＦ社製）；ペンタノールをガーベット反応に供して得られるＣ１０のアルコールに対して、６モル相当のエチレンオキシドを付加したもの（Ｌｕｔｅｎｓｏｌ（登録商標）ＸＡ６０、ＢＡＳＦ社製）；Ｃ１２〜１４の第２級アルコールに対して、３又は５又は７又は９モル相当のエチレンオキシドを付加したもの（ソフタノール（登録商標）３０、ソフタノール（登録商標）５０、ソフタノール（登録商標）７０、ソフタノール（登録商標）９０、（株）日本触媒製）等が挙げられる。
【００４９】
（ｃ１）成分としては、繊維製品等への浸透のしやすさの観点から、式（ｃ−１）におけるＲ２１が、分岐鎖を有する炭素数１２〜１４のアルキル基であり、ｍが２〜８であるもの（市販品としては、Ｌｕｔｅｎｓｏｌ（登録商標）ＴＯ７（ＢＡＳＦ社製）や、ＥＸＸＡＬ（登録商標）１３（Ｓａｓｏｌ社製）等のアルコール１モルに対して、７モル相当のエチレンオキシドを付加したもの）、又は、式（ｃ−１）におけるＲ２１が、炭素数１２〜１４の直鎖アルキル基であり、直鎖アルキル基の酸素原子に結合する炭素原子は、２級の炭素原子であり、ｍが２〜８であるもの（市販品としては、ソフタノール（登録商標）３０、（株）日本触媒製）が好ましい。
（ｃ１）成分としては、式（ｃ−１）におけるＲ２１が、分岐鎖を有する炭素数１２〜１４のアルキル基であり、ｍが２〜８であるものが特に好ましい。
【００５０】
（ｃ１）成分の含有量は、衣料用繊維処理剤組成物の総質量に対して、０．１〜１５質量％が好ましく、０．１〜１０質量％がより好ましく、１〜１０質量％がさらに好ましく、３〜７質量％が特に好ましい。（ｃ１）成分の含有量が上記下限値以上であると、（Ａ）成分及び（Ｂ）成分の繊維製品等に対する浸透効果を高めやすい。（ｃ１）成分の含有量が上記上限値以下であると、液体安定性を向上しやすい。
（ｃ１）成分は、１種単独で用いてもよく、２種以上を併用してもよい。
【００５１】
（ｃ１）成分は、（Ａ）成分と併用することで、（Ａ）成分を繊維製品等に浸透しやすくして、すべり感の向上の相乗効果を発揮する。
（ｃ１）成分／（Ａ）成分で表される質量比（以下、ｃ１／Ａ比ともいう。）は、０．１〜５００が好ましく、０．３〜２００がより好ましく、１〜５０がさらに好ましく、１〜２０が特に好ましい。ｃ１／Ａ比が上記数値範囲内であると、レーヨンを含む繊維のすべり感の向上効果が充分に得られる。加えて、ｃ１／Ａ比が上記数値範囲内であると、液体安定性を向上しやすい。
【００５２】
（（ｃ２）成分）
（ｃ２）成分は、（ｃ１）成分を除くノニオン界面活性剤である。衣料用繊維処理剤組成物は、（ｃ２）成分を含有することで、洗浄性能がより高められる。加えて、衣料用繊維処理剤組成物は、（ｃ２）成分を含有することで、液体安定性がより高められる。
【００５３】
（ｃ２）成分としては、例えば、脂肪酸アルキルエステル、高級アルコール（炭素数８〜２２のアルコール）、アルキルフェノール、高級脂肪酸（炭素数８〜２２の脂肪酸）、高級脂肪酸アルキルエステル（炭素数８〜２２の脂肪酸残基を有するエステル）又は高級アミン（炭素数８〜２２のアルキル基を有するアミン）等のアルキレンオキシド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキルアミンオキシド、アルケニルアミンオキシド、硬化ヒマシ油のアルキレンオキシド付加体、糖脂肪酸エステル、Ｎ−アルキルポリヒドロキシ脂肪酸アミド、アルキルグルコシド等が挙げられる。
【００５４】
（ｃ２）成分としては、下記式（ｃ−２）で表される、（ｃ１）成分以外のポリオキシアルキレン型ノニオン界面活性剤が好ましい。
Ｒ２３−Ｊ−（ＥＯ）ｐ（ＰＯ）ｑ−Ｒ２４  ・・・（ｃ−２）
式（ｃ−２）中、Ｒ２３は、炭素数８〜２２の炭化水素基であり、Ｒ２４は、水素原子、炭素数１〜６のアルキル基、又は炭素数２〜６のアルケニル基である。
Ｊは、−Ｏ−、−ＣＯＯ−、−ＣＯＮＨ−を表す。
ＥＯは、オキシエチレン基を表し、ＰＯは、オキシプロピレン基を表す。
ｐは、ＥＯの平均繰り返し数を表し、３〜７０の数である。
ｑは、ＰＯの平均繰り返し数を表し、０〜６の数である。
【００５５】
式（ｃ−２）中、Ｒ２３の炭素数は、８〜２２であり、１０〜１８が好ましい。Ｒ２３の炭素数が上記数値範囲内であると、衣料用繊維処理剤組成物の洗浄力がより高まる。
Ｒ２３としては、１級又は２級の高級アルコール、高級脂肪酸、高級脂肪酸アミド等に由来する炭化水素基が挙げられる。
Ｒ２３は、不飽和結合を有していてもよく、有していなくてもよい。
Ｒ２３としては、アルキル基又はアルケニル基が好ましい。
Ｒ２３は、直鎖であってもよく、分岐鎖を有していてもよい。
ただし、Ｊが−Ｏ−のとき、（ｃ２）成分は、式（ｃ−１）で表されるノニオン界面活性剤を除く。
【００５６】
Ｒ２４は、水素原子、炭素数１〜６のアルキル基、又は炭素数２〜６のアルケニル基である。
Ｒ２４がアルキル基の場合、Ｒ２４の炭素数は、１〜３が好ましい。
Ｒ２４がアルケニル基の場合、Ｒ２４の炭素数は、２〜３が好ましい。
【００５７】
式（ｃ−２）中、Ｊが−Ｏ−の場合、（ｃ２）成分は、アルキルエーテル型ノニオン界面活性剤である。
Ｊが−Ｏ−の場合、洗浄力向上の観点から、Ｒ２３は、炭素数１０〜２０の直鎖アルキル基又は炭素数１０〜２０の直鎖アルケニル基が好ましい。Ｊが−Ｏ−の場合、Ｒ２４は、水素原子が好ましい。
【００５８】
式（ｃ−２）中、Ｊが−ＣＯＯ−の場合、（ｃ２）成分は、脂肪酸エステル型ノニオン界面活性剤（ＭＥＥ）である。
Ｊが−ＣＯＯ−の場合、洗浄力向上の観点から、Ｒ２３は、炭素数９〜２１の直鎖アルキル基もしくは炭素数９〜２１の分岐鎖状のアルキル基、又は炭素数９〜２１の直鎖アルケニル基もしくは炭素数９〜２１の分岐鎖状のアルケニル基が好ましく、炭素数１１〜１７の直鎖アルキル基もしくは炭素数１１〜１７の分岐鎖状のアルキル基、又は炭素数１１〜１７の直鎖アルケニル基もしくは炭素数１１〜１７の分岐鎖状のアルケニル基がより好ましい。Ｊが−ＣＯＯ−の場合、Ｒ２４は、炭素数１〜３のアルキル基が好ましい。
【００５９】
式（ｃ−２）中、ｐは、３〜７０の数であり、３〜２０の数が好ましく、５〜１８の数がより好ましい。ｐが上記上限値以下であると、ＨＬＢ値が高くなりすぎず、洗浄力が低下しにくい。ここで、ＨＬＢ値とは、疎水性と親水性のバランスを表す０〜２０の数値のことであり、０に近いほど水に溶けにくく、２０に近いほど水に溶けやすい性質を表す。
式（ｃ−２）中、ｑは、０〜６の数であり、１〜３の数が好ましい。ｑが上記上限値以下であると、高温（例えば、５０℃）条件下での保存安定性（長期（例えば、１ヶ月）の液体安定性）が低下しにくい。
「−（ＥＯ）ｐ（ＰＯ）ｑ−」は、ＥＯとＰＯとが混在して配列するランダム鎖であってもよく、ＥＯとＰＯとがブロック状に配列するブロック鎖であってもよい。
【００６０】
（ｃ２）成分としては、市販品を用いてもよい。（ｃ２）成分の市販品としては、例えば、プロクター・アンド・ギャンブル社製のＣＯ−１２１４又はＣＯ−１２７０（商品名）等の直鎖状の天然アルコールに対して、１２モル相当又は１５モル相当のエチレンオキシドを付加したもの；ブテンを３量化して得られる炭素数１２のアルケンをオキソ法に供して得られるＣ１３のアルコールに対して、１２モル相当又は１５モル相当のエチレンオキシドを付加したもの（Ｌｕｔｅｎｓｏｌ（登録商標）ＴＯ１２、Ｌｕｔｅｎｓｏｌ（登録商標）ＴＯ１５等、ＢＡＳＦ社製）；Ｃ１２〜１４の第２級アルコールに対して、１２モル相当又は１５モル相当のエチレンオキシドを付加したもの（ソフタノール（登録商標）１２０、ソフタノール（登録商標）１５０、（株）日本触媒製）；ヤシ脂肪酸メチル（ラウリン酸／ミリスチン酸＝８／２）に対して、アルコキシル化触媒を用いて、１５モル相当のエチレンオキシドを付加したもの（ポリオキシエチレンヤシ脂肪酸メチルエステル（ＥＯ１５モル））等が挙げられる。
【００６１】
これらの中でも、（Ｂ）成分の吸着を促進しやすくレーヨンを含む繊維のすべり感に優れ、洗浄力に優れる観点から、プロクター・アンド・ギャンブル社製の直鎖状の天然アルコール（例えば、ＣＯ−１２７０）に対して、平均１２モル相当のエチレンオキシドを付加したもの、及びプロクター・アンド・ギャンブル社製の直鎖状の天然アルコール（例えば、ＣＯ−１２７０）に対して、平均１０モル相当のエチレンオキシドを付加したもの；Ｃ１２〜１４の直鎖１級アルコールに対して、エチレンオキシドの平均９モル、プロピレンオキシドの平均２モル、エチレンオキシドの平均９モルを、この順で付加させたポリオキシアルキレンアルキルエーテル；式（ｃ−２）中、Ｒ２３が炭素数１２〜１４の直鎖アルキル基であり、Ｒ２４が水素原子であり、Ｊが−Ｏ−であり、ｐ＝２、ｑ＝１８である化合物が好ましい。
【００６２】
（ｃ２）成分の含有量は、衣料用繊維処理剤組成物の総質量に対して、１〜５０質量％が好ましく、５〜３０質量％がより好ましく、１０〜３０質量％がさらに好ましく、１０〜２５質量％が特に好ましい。（ｃ２）成分の含有量が上記下限値以上であると、洗浄力を向上しやすい。（ｃ２）成分の含有量が上記上限値以下であると、液体安定性を向上しやすい。
（ｃ２）成分は、１種単独で用いてもよく、２種以上を併用してもよい。
【００６３】
（ｃ１）成分の含有量と（ｃ２）成分の含有量との合計量（（Ｃ）成分の含有量）は、衣料用繊維処理剤組成物の総質量に対して、１．１〜５０質量％が好ましく、５〜４０質量％がより好ましく、１０〜４０質量％がさらに好ましく、１０〜３０質量％が特に好ましい。（Ｃ）成分の含有量が上記下限値以上であると、洗浄力を向上しやすい。加えて、（Ｃ）成分の含有量が上記下限値以上であると、（Ｂ）成分の繊維製品等への浸透、吸着を促進しやすくレーヨンを含む繊維のすべり感を高めやすい。（Ｃ）成分の含有量が上記上限値以下であると、すすぎ性がより優れた衣料用繊維処理剤組成物となりやすい。
【００６４】
（ｃ１）成分／（Ｃ）成分で表される質量比（以下、ｃ１／Ｃ比ともいう。）は、０．００２〜０．８が好ましく、０．０１〜０．７がより好ましく、０．０１〜０．６がさらに好ましく、０．１〜０．５が特に好ましく、０．１５〜０．５が最も好ましい。ｃ１／Ｃ比が上記下限値以上であると、（Ａ）成分及び（Ｂ）成分の繊維製品等への浸透、吸着を促進しやすくレーヨンを含む繊維のすべり感を高めやすい。ｃ１／Ｃ比が上記上限値以下であると、衣料用繊維処理剤組成物の分離や固化が生じにくく、液体安定性を高めやすい。
【００６５】
（ｃ２）成分／（Ａ）成分で表される質量比（以下、ｃ２／Ａ比ともいう。）は、１〜１２００が好ましく、１〜２００がより好ましく、５〜１００がさらに好ましく、１０〜８０が特に好ましい。ｃ２／Ａ比が上記数値範囲内であると、洗浄効果を維持しつつ、液体安定性を高めやすい。
【００６６】
＜任意成分＞
本発明の衣料用繊維処理剤組成物は、本発明の効果を損なわない範囲内であれば、（Ａ）成分、（Ｂ）成分、（Ｃ）成分以外の任意成分を含有してもよい。任意成分としては、洗浄剤組成物に通常用いられる成分を配合することができる。
任意成分としては、例えば、高級脂肪酸塩を除くアニオン界面活性剤（（Ｄ）成分）、キレート剤（（Ｅ）成分）、特定の構造を有するポリマー（（Ｆ）成分）、高級脂肪酸又はその塩、両性界面活性剤、（Ｂ）成分を除くカチオン界面活性剤、水、有機溶剤、再汚染防止剤、減粘剤（可溶化剤ともいう。）、風合い向上剤、防腐剤、酸化防止剤、着色剤、香料、天然物等のエキス、ｐＨ調整剤等が挙げられる。
【００６７】
（（Ｄ）成分）
（Ｄ）成分は、高級脂肪酸塩を除くアニオン界面活性剤である。（Ｄ）成分としては、従来、衣料用等の洗浄剤組成物に用いられているアニオン界面活性剤の中から適宜選択して用いることができる。
（Ｄ）成分としては、例えば、直鎖アルキルベンゼンスルホン酸又はその塩；α−オレフィンスルホン酸又はその塩；内部オレフィンスルホン酸（二重結合をオレフィン鎖の末端ではなく内部に有するスルホン酸）又はその塩；ヒドロキシアルカンスルホン酸又はその塩；直鎖状又は分岐鎖状のアルキル硫酸エステル又はその塩；ポリオキシアルキレンアルキルエーテル硫酸エステル又はその塩；ポリオキシアルキレンアルケニルエーテル硫酸エステル又はその塩；アルキル基を有するアルカンスルホン酸又はその塩；α−スルホ脂肪酸エステル又はその塩；アルキルエーテルカルボン酸又はその塩、ポリオキシアルキレンエーテルカルボン酸又はその塩、アルキルアミドエーテルカルボン酸又はその塩、アルケニルアミドエーテルカルボン酸又はその塩、アシルアミノカルボン酸又はその塩等のカルボン酸型アニオン界面活性剤；アルキルリン酸エステル又はその塩、ポリオキシアルキレンアルキルリン酸エステル又はその塩、ポリオキシアルキレンアルキルフェニルリン酸エステル又はその塩、グリセリン脂肪酸エステルモノリン酸エステル又はその塩等のリン酸エステル型アニオン界面活性剤等が挙げられる。
（Ｄ）成分の塩の形態としては、ナトリウム、カリウム等のアルカリ金属塩；マグネシウム等のアルカリ土類金属塩；モノエタノールアンモニウム、ジエタノールアンモニウム等のアルカノールアミン塩等が挙げられる。
【００６８】
上記のうち、直鎖アルキルベンゼンスルホン酸又はその塩としては、直鎖アルキル基の炭素数が８〜１６の直鎖アルキルベンゼンスルホン酸又はその塩が好ましく、直鎖アルキル基の炭素数１０〜１４の直鎖アルキルベンゼンスルホン酸又はその塩が特に好ましい。
アルキル基の炭素数が上記数値範囲内であると、再汚染防止性（繊維製品等に付着した汚れが洗浄液で落ちて他の繊維製品等へ付着することを防止する性能）の向上を図ることができる。アルキル基としては、例えば、デシル基、ウンデシル基、ドデシル基、トリデシル基、テトラデシル基が挙げられる。
直鎖アルキルベンゼンスルホン酸又はその塩としては、市販品を用いてもよいし、公知の合成方法で製造してもよい。公知の合成方法としては、アルキルベンゼンを無水硫酸でスルホン化する方法が挙げられる。
【００６９】
α−オレフィンスルホン酸又はその塩としては、炭素数１０〜２０のα−オレフィンスルホン酸又はその塩が好ましい。
アルキル硫酸エステル又はその塩としては、炭素数１０〜２０のアルキル硫酸エステル又はその塩が好ましい。
【００７０】
ポリオキシアルキレンアルキルエーテル硫酸エステル又はその塩としては、炭素数８〜２０の直鎖状もしくは分岐鎖状のアルキル基を有し、平均１〜１０モルのエチレンオキシドを付加した（すなわち、平均１〜１０モルのオキシエチレン基を有する）アルキルエーテル硫酸エステル又はその塩（すなわち、ポリオキシエチレンアルキルエーテル硫酸エステル又はその塩）が好ましい。また、炭素数２〜４のアルキレンオキシドのいずれか、又はエチレンオキシドとプロピレンオキシド（モル比がエチレンオキシド／プロピレンオキシド＝０．１／９．９〜９．９／０．１）を平均０．５〜１０モル付加した、炭素数８〜２０の直鎖状もしくは分岐鎖状のアルキル基を有するアルキルエーテル硫酸エステル又はその塩が好ましい。
ポリオキシアルキレンアルキルエーテル硫酸エステル又はその塩は、例えば、下記式（ｄ−１）で表される。
Ｒ４１−Ｏ−［（ＥＯ）ｖ／（ＰＯ）ｗ］−ＳＯ３−Ｍ＋  ・・・（ｄ−１）
【００７１】
式（ｄ−１）中、Ｒ４１は炭素数８〜２０の直鎖状又は分岐鎖状のアルキル基であり、ＥＯはオキシエチレン基を表し、ＰＯはオキシプロピレン基を表し、ｖはＥＯの平均繰り返し数を表し、０以上の数であり、ｗはＰＯの平均繰り返し数を表し、０〜６の数であり、０＜ｖ＋ｗである。Ｍ＋は対カチオンである。
【００７２】
式（ｄ−１）中、Ｒ４１の炭素数は、８〜２０であり、１０〜２０が好ましく、１２〜１４がより好ましい。Ｒ４１としては、例えば、ドデシル基、トリデシル基、テトラデシル基等が挙げられる。これらの中でもドデシル基が好ましい。
ｖは、０以上であり、０以上１０以下が好ましく、０．５以上５以下がより好ましく、１以上３以下がさらに好ましい。
ｗは、０〜６であり、０〜３が好ましく、０がより好ましい。
Ｍ＋としては、ナトリウムイオン、カリウムイオン等のアルカリ金属イオン、マグネシウムイオン等のアルカリ土類金属イオン、モノエタノールアミン、ジエタノールアミン等のアルカノールアミンから誘導されるカチオン等が挙げられる。
（ＥＯ）ｖ／（ＰＯ）ｗにおいて、ＥＯとＰＯとは、ランダムに付加されていてもよく、ブロック付加であってもよい。
【００７３】
ポリオキシアルキレンアルキルエーテル硫酸エステル又はその塩としては、炭素数１０〜２０の直鎖又は分岐鎖のアルキル基を有し、平均１〜１０モル（より好ましくは平均１〜５モル）のアルキレンオキシドが付加されたものが好ましい。
ポリオキシアルキレンアルキルエーテル硫酸エステル又はその塩としては、市販品を用いてもよいし、公知の合成方法で製造してもよい。公知の合成方法としては、ポリオキシアルキレンアルキルエーテルに、無水硫酸を反応させるか、クロルスルホン酸を反応させる方法が挙げられる。
【００７４】
ポリオキシアルキレンアルケニルエーテル硫酸エステル又はその塩としては、炭素数８〜２０の直鎖状又は分岐鎖状のアルケニル基を有し、平均１〜１０モルのエチレンオキシドを付加したアルケニルエーテル硫酸エステル又はその塩（すなわち、ポリオキシエチレンアルケニルエーテル硫酸エステル又はその塩）が好ましい。また、炭素数２〜４のアルキレンオキシドのいずれか、又はエチレンオキシドとプロピレンオキシド（モル比がエチレンオキシド／プロピレンオキシド＝０．１／９．９〜９．９／０．１）を平均０．５〜１０モル付加した、炭素数８〜２０の直鎖状もしくは分岐鎖状のアルケニル基を有するアルケニルエーテル硫酸エステル又はその塩が好ましい。
アルカンスルホン酸又はその塩としては、炭素数は１０〜２０のアルカンスルホン酸又はその塩が挙げられ、炭素数１４〜１７のアルカンスルホン酸又はその塩が好ましく、第２級アルカンスルホン酸又はその塩が特に好ましい。
α−スルホ脂肪酸エステル又はその塩としては、炭素数１０〜２０のα−スルホ脂肪酸エステル塩が好ましい。
【００７５】
（Ｄ）成分としては、直鎖アルキルベンゼンスルホン酸又はその塩、アルカンスルホン酸又はその塩、ポリオキシアルキレンアルキルエーテル硫酸エステル又はその塩（特に、炭素数２〜４のアルキレンオキシドのいずれか、又はエチレンオキシドとプロピレンオキシド（モル比がエチレンオキシド／プロピレンオキシド＝０．１／９．９〜９．９／０．１）を平均０．５〜１０モル付加した、炭素数８〜２０の直鎖状もしくは分岐鎖状のアルキル基を有するアルキルエーテル硫酸エステル塩）、ポリオキシアルキレンアルケニルエーテル硫酸エステル又はその塩（特に、炭素数２〜４のアルキレンオキシドのいずれか、又はエチレンオキシドとプロピレンオキシド（モル比がエチレンオキシド／プロピレンオキシド＝０．１／９．９〜９．９／０．１）を平均０．５〜１０モル付加した、炭素数８〜２０の直鎖状もしくは分岐鎖状のアルケニル基を有するアルケニルエーテル硫酸エステル塩）、及びα−オレフィンスルホン酸又はその塩からなる群より選ばれる少なくとも１種が好ましい。これらの中でも、直鎖アルキルベンゼンスルホン酸又はその塩が、液体安定性の観点からより好ましい。また、（Ａ）成分を配合した際の液体安定性から直鎖アルキルベンゼンスルホン酸又はその塩が、特に好ましい。
【００７６】
衣料用繊維処理剤組成物が（Ｄ）成分を含有する場合、（Ｄ）成分の含有量は、衣料用繊維処理剤組成物の総質量に対して、０．１〜２０質量％が好ましく、０．１〜１０質量％がより好ましい。（Ｄ）成分の含有量が上記下限値以上であると、洗浄力がより高まる。（Ｄ）成分の含有量が上記上限値以下であると、液体安定性をより高めやすい。
（Ｄ）成分は、１種単独で用いてもよく、２種以上を併用してもよい。
【００７７】
衣料用繊維処理剤組成物が（Ｄ）成分を含有する場合、（Ｄ）成分／（Ａ）成分で表される質量比（以下、Ｄ／Ａ比ともいう。）は、０．１〜２００が好ましく、１〜７０がより好ましく、１〜５０がさらに好ましく、１〜１５が特に好ましい。Ｄ／Ａ比が上記数値範囲内であると、液体安定性をより高めやすい。
【００７８】
（（Ｅ）成分）
（Ｅ）成分は、キレート剤である。（Ｅ）成分は、金属イオン捕捉剤として機能する。
（Ｅ）成分としては、マロン酸、コハク酸、リンゴ酸、ジグリコール酸、酒石酸、クエン酸等が挙げられる。（Ｅ）成分としては、液体安定性に優れる観点から、クエン酸が好ましい。
【００７９】
衣料用繊維処理剤組成物が（Ｅ）成分を含有する場合、（Ｅ）成分の含有量は、衣料用繊維処理剤組成物の総質量に対して、０．０１〜１０質量％が好ましく、０．０１〜３質量％がより好ましい。（Ｅ）成分の含有量が上記下限値以上であると、製造時のｐＨを調整しやすい。（Ｅ）成分の含有量が上記上限値以下であると、液体安定性をより高めやすい。
（Ｅ）成分は、１種単独で用いてもよく、２種以上を併用してもよい。
【００８０】
衣料用繊維処理剤組成物が（Ｅ）成分を含有する場合、（Ｅ）成分／（Ａ）成分で表される質量比（以下、Ｅ／Ａ比ともいう。）は、０．０１〜２０が好ましく、０．０５〜１０がより好ましく、０．１〜５がさらに好ましい。Ｅ／Ａ比が上記数値範囲内であると、液体安定性をより高めやすい。
【００８１】
（（Ｆ）成分）
（Ｆ）成分は、下記式（ｆ−１）で表される繰り返し単位、下記式（ｆ−２）で表される繰り返し単位、及び下記式（ｆ−３）で表される繰り返し単位からなる群から選択される少なくとも１種の繰り返し単位を有するポリマーである。（Ｆ）成分は、レーヨンを含む繊維のすべり感を向上する効果を有する。
【００８２】
【化８】
2020143257.tif 000009
【００８３】
式（ｆ−１）中、Ｒ３１、Ｒ３２、Ｒ３３は、それぞれ独立して、炭素数１〜３のアルキル基であり、Ｒ３４は、炭素数１〜５のアルキレン基であり、Ｒ３５は、水素原子又はメチル基である。Ｙ−は、塩化物イオン、臭化物イオン、ヨウ化物イオン、メチル硫酸イオン、又はエチル硫酸イオンである。
【００８４】
【化９】
2020143257.tif 000010
【００８５】
式（ｆ−２）中、Ｒ３６は、炭素数１〜１０のアルキル基であり、Ｒ３７は、水素原子又はメチル基である。Ｚは、−ＣＯＮＨ−である。ｓは、０又は１である。
【００８６】
【化１０】
2020143257.tif 000011
【００８７】
式（ｆ−３）中、Ｒ３８は、炭素数６〜１８のアルキル基であり、Ｒ３９、Ｒ４０は、それぞれ独立して、炭素数１〜３のアルキル基であり、Ｒ４１は、炭素数１〜５のアルキレン基であり、Ｒ４２は、水素原子又はメチル基である。Ｙ−は、塩化物イオン、臭化物イオン、ヨウ化物イオン、メチル硫酸イオン、又はエチル硫酸イオンである。
【００８８】
式（ｆ−１）で表される繰り返し単位を有するポリマー（以下、「ポリマーｆ１」ともいう。）としては、例えば、塩化トリメチルアミノプロピルアクリルアミド（ＡＡＰＴＡＣ）、３−（メタクリルアミド）プロピルトリメチルアンモニウムクロライド（ＭＡＰＴＡＣ）が挙げられる。ポリマーｆ１としては、ＡＡＰＴＡＣが好ましい。
【００８９】
式（ｆ−２）で表される繰り返し単位を有するポリマー（以下、「ポリマーｆ２」ともいう。）としては、例えば、２−アクリルアミド−２−メチルプロパンスルホン酸（ＡＭＰＳ）、アリルスルホン酸ナトリウム、２−メチル−２−プロペン−１−スルホン酸ナトリウム、ビニルスルホン酸ナトリウムが挙げられる。ポリマーｆ２としては、ＡＭＰＳが好ましい。
【００９０】
式（ｆ−３）で表される繰り返し単位を有するポリマー（以下、「ポリマーｆ３」ともいう。）としては、例えば、塩化アルキルジメチルアミノプロピルメタクリルアミドが挙げられる。
【００９１】
（Ｆ）成分としては、ポリマーｆ３が好ましい。
また、（Ｆ）成分としては、上記式（ｆ−１）で表される繰り返し単位と上記式（ｆ−３）で表される繰り返し単位とを有するポリマー、上記式（ｆ−２）で表される繰り返し単位と上記式（ｆ−３）で表される繰り返し単位とを有するポリマー、上記式（ｆ−１）で表される繰り返し単位と上記式（ｆ−２）で表される繰り返し単位と上記式（ｆ−３）で表される繰り返し単位とを有するポリマー（以下、「ターポリマーｆ１２３」ともいう。）がより好ましい。
また、（Ｆ）成分としては、ターポリマーｆ１２３がさらに好ましい。
（Ｆ）成分の重合の形態は、特に限定されず、ブロック重合、ランダム重合又はグラフト重合のいずれであってもよい。
【００９２】
（Ｆ）成分が、ターポリマーｆ１２３の場合、ターポリマーｆ１２３の総質量を１００質量％として、式（ｆ−１）で表される繰り返し単位の構成割合は、０．１〜９９質量％が好ましく、５０〜９９質量％がより好ましい。
また、（Ｆ）成分が、ターポリマーｆ１２３の場合、ターポリマーｆ１２３の総質量を１００質量％として、式（ｆ−２）で表される繰り返し単位の構成割合は、０．１〜３０質量％が好ましい。
また、（Ｆ）成分が、ターポリマーｆ１２３の場合、ターポリマーｆ１２３の総質量を１００質量％として、式（ｆ−３）で表される繰り返し単位の構成割合は、０．１〜２０質量％が好ましい。
【００９３】
（Ｆ）成分としては、（Ｆ）成分の総質量を１００質量％として、ＡＡＰＴＣを０．１〜９９質量％、ＡＭＰＳを０．１〜３０質量％、塩化アルキルジメチルアミノプロピルメタクリルアミドを０．１〜２０質量％含有するターポリマーｆ１２３が特に好ましい。
また、（Ｆ）成分しては、（Ｆ）成分の総質量を１００質量％として、ＡＡＰＴＣを５０〜９９質量％、ＡＭＰＳを０．１〜３０質量％、塩化アルキルジメチルアミノプロピルメタクリルアミドを０．１〜２０質量％含有するターポリマーｆ１２３が最も好ましい。
【００９４】
ターポリマーｆ１２３の市販品としては、アシュランド・ジャパン（株）製の商品名「ＣｈｒｏｍｏＨａｎｃｅ１１３（クロモハンス１１３）」が挙げられる。クロモハンス１１３は、成分表示名称として、下記式（ｆ−４）で表されるポリクオタニウム−１１３と、水と、フェノキシエタノールと、カプリリルグリコールとを含む透明な液体である。クロモハンス１１３の２５℃におけるｐＨは、３．５〜４．５であり、２５℃における粘度は、２００〜８００ｍＰａ・ｓである。
【００９５】
【化１１】
2020143257.tif 000012
【００９６】
クロモハンス１１３において、式（ｆ−１）で表される繰り返し単位及び式（ｆ−３）で表される繰り返し単位におけるカチオンが吸着部位となり、洗浄後に式（ｆ−３）で表される繰り返し単位におけるアルキル基（Ｒ３８）が外側（空気側）となることで、なめらかさを発現するものと考えられる。式（ｆ−２）で表される繰り返し単位は、洗浄液中での高分子の形態、表面電荷をコントロールする役割を果たしているものと考えられる。
Ｒ３８の炭素数は、６〜１８であり、１０〜１８が好ましい。
（Ｆ）成分として、式（ｆ−３）で表される繰り返し単位を有しない場合、すべり感の向上は得られにくいものと考えられる。
【００９７】
（Ｆ）成分の含有量は、衣料用繊維処理剤組成物の総質量に対して、０．０５〜５質量％が好ましく、０．１〜３質量％がより好ましく、０．１〜２質量％がさらに好ましい。（Ｆ）成分の含有量が上記下限値以上であると、洗濯後のレーヨンを含む繊維に充分なすべり感を付与できる。（Ｆ）成分の含有量が上記上限値以下であると、液体安定性を向上しやすい。
【００９８】
（高級脂肪酸又はその塩）
高級脂肪酸又はその塩としては、炭素数１０〜２０の高級脂肪酸又はその塩が好ましく、例えば、カプリル酸、カプリン酸、ラウリン酸、ミリスチン酸、パルミチン酸、ステアリン酸、イソステアリン酸、ヒドロキシステアリン酸、オレイン酸、ベヘン酸等の単一脂肪酸又はその塩、ヤシ油脂肪酸、牛脂脂肪酸等の混合脂肪酸又はその塩等が挙げられる。
高級脂肪酸の塩の形態としては、ナトリウム、カリウム等のアルカリ金属塩；マグネシウム等のアルカリ土類金属塩；モノエタノールアンモニウム、ジエタノールアンモニウム等のアルカノールアミン塩等が挙げられる。
衣料用繊維処理剤組成物が高級脂肪酸又はその塩を含有する場合、高級脂肪酸又はその塩の含有量は、衣料用繊維処理剤組成物の総質量に対して、０．１〜５．０質量％が好ましく、０．２〜３．０質量％がより好ましい。
高級脂肪酸又はその塩は、１種単独で用いてもよく、２種以上を併用してもよい。
【００９９】
（両性界面活性剤）
両性界面活性剤としては、従来、衣料用等の洗浄剤組成物に用いられている両性界面活性剤の中から適宜選択して用いることができる。
両性界面活性剤としては、例えば、アルキルベタイン型、アルキルアミドベタイン型、イミダゾリン型、アルキルアミノスルホン酸型、アルキルアミノカルボン酸型、アルキルアミドカルボン酸型、アミドアミノ酸型又はリン酸型等の両性界面活性剤が挙げられる。
両性界面活性剤の含有量は、衣料用繊維処理剤組成物の総質量に対して、０〜１０質量％が好ましい。
両性界面活性剤は、１種単独で用いてもよく、２種以上を併用してもよい。
【０１００】
（（Ｂ）成分を除くカチオン界面活性剤）
（Ｂ）成分を除くカチオン界面活性剤としては、例えば、アルキルトリメチルアンモニウム塩、ジアルキルジメチルアンモニウム塩、アルキルベンジルジメチルアンモニウム塩、アルキルピリジニウム塩、特開２００３-１２４７１号公報に記載のカチオン界面活性剤等が挙げられる。
（Ｂ）成分を除くカチオン界面活性剤の含有量は、衣料用繊維処理剤組成物の総質量に対して、０〜２０質量％が好ましい。
（Ｂ）成分を除くカチオン界面活性剤は、１種単独で用いてもよく、２種以上を併用してもよい。
【０１０１】
（水）
衣料用繊維処理剤組成物は、水を含むことが好ましい。水の含有量は、洗浄剤組成物の総質量に対し、１０〜９５質量％が好ましく、２０〜９０質量％がより好ましく、４０〜９０質量％がさらに好ましい。水の含有量が上記下限値以上であると、製造時のハンドリングのしやすさ及び使用する際の水への溶解性がより優れる。水の含有量が上記上限値以下であると、衣料用繊維処理剤組成物の洗浄力を高めやすい。
【０１０２】
（有機溶剤）
衣料用繊維処理剤組成物は、有機溶剤を含んでいてもよい。有機溶剤としては、例えば、炭素数２〜４の一価アルコール、炭素数２〜４の多価アルコール、下記式（ｇ−１）で表されるグリコールエーテル系溶剤、下記式（ｇ−２）で表される溶剤等が挙げられる。
Ｒ５１−（ＯＲ５２）ｓＯＨ  ・・・（ｇ−１）
ＣＨ３ＯＣＲ５３（ＣＨ３）ＣＨＲ５４ＣＨＲ５５ＯＲ５６  ・・・（ｇ−２）
【０１０３】
式（ｇ−１）中、Ｒ５１は炭素数１〜６のアルキル基又はフェニル基であり、Ｒ５２は炭素数２〜４のアルキレン基であり、ｓは平均付加モル数を表し１〜５である。
式（ｇ−２）中、Ｒ５３〜Ｒ５５は、それぞれ独立に水素原子又は炭素数１〜３のアルキル基であり、Ｒ５６は水素原子又はアセチル基である。
【０１０４】
炭素数２〜４の１価アルコールとしては、例えば、エタノール、１−プロパノール、２−プロパノール、１−ブタノール等が挙げられる。
炭素数２〜４の多価アルコールとしては、例えば、エチレングリコール、プロピレングリコール、ブチレングリコール、グリセリン等が挙げられる。
式（ｇ−１）で表されるグリコールエーテル系溶剤としては、エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル等が挙げられる。
式（ｇ−２）で表される溶剤としては、例えば、３−メトキシメタノール、３−メトキシ−３−メチルブタノール、３−メトキシ−３−エチルブタノール、３−メトキシ−３−プロピルブタノール、３−メトキシ−２−メチルブタノール、３−メトキシ−２−エチルブタノール、３−メトキシ−２−プロピルブタノール、３−メトキシ−１−メチルブタノール、３−メトキシ−１−エチルブタノール、３−メトキシ−１−プロピルブタノール、３−メトキシブチルアセテート、３−メトキ−３−メチルブチルアセテート、３−メトキシ−３−エチルブチルアセテート、３−メトキシ−３−プロピルブチルアセテート、３−メトキシ−２−メチルブチルアセテート、３−メトキシ−２−エチルブチルアセテート、３−メトキシ−２−プロピルブチルアセテート、３−メトキシ−１−メチルブチルアセテート、３−メトキシ−１−エチルブチルアセテート、３−メトキシ−１−プロピルブチルアセテート等が挙げられる。
【０１０５】
有機溶剤としては、衣料用繊維処理剤組成物としての流動性、臭気が穏やかな点、原料の入手のしやすさから、エタノール、プロピレングリコール、ジエチレングリコールモノブチルエーテル、３−メトキシ−３−メチルブタノールが好ましい。
有機溶剤は、１種単独で用いてもよく、２種以上を併用してもよい。
【０１０６】
衣料用繊維処理剤組成物が有機溶剤を含有する場合、有機溶剤の含有量は、衣料用繊維処理剤組成物の総質量に対して、０．５〜２５質量％が好ましく、１〜２３質量％がより好ましく、１．５〜２０質量％がさらに好ましい。有機溶剤の含有量が上記下限値以上であると、衣料用繊維処理剤組成物の流動性が良好となり、ゲル化せず、使用性がより高まる。有機溶剤の含有量が上記上限値以下であると、充分な流動性の改善効果が得られ、製造コストを低減できる。
【０１０７】
（再汚染防止剤）
再汚染防止剤としては、アルキレンテレフタレート単位、及びアルキレンイソフタレート単位からなる群から選択される少なくとも一種の繰り返し単位と、オキシアルキレン単位、及びポリオキシアルキレン単位からなる群から選択される少なくとも一種の繰り返し単位と、を有する水溶性ポリマーが挙げられる。
具体的には、商品名「ＴｅｘＣａｒｅ  ＳＲＮ−１００」（クラリアント社製、質量平均分子量２０００〜３０００）、商品名「ＴｅｘＣａｒｅ  ＳＲＮ−３００」（クラリアント社製、質量平均分子量７０００）、商品名「Ｒｅｐｅｌ−Ｏ−Ｔｅｘ  Ｃｒｙｓｔａｌ」（ローディア社製）、商品名「Ｒｅｐｅｌ−Ｏ−Ｔｅｘ  ＱＣ」（ローディア社製）等が挙げられる。
【０１０８】
これらの中では、水への溶解性が高く、保存安定性にも優れる点から、ＴｅｘＣａｒｅ  ＳＲＮ−１００が好ましい。また、取り扱い性に優れる点から、前記ＴｅｘＣａｒｅ  ＳＲＮ−１００の７０％水溶液として市販されている商品名ＴｅｘＣａｒｅ  ＳＲＮ−１７０（クラリアント社製）が用いられることが好ましい。
他の再汚染防止剤としては、ポリアルキレンイミンのアルキレンオキシド付加体、ポリアルキレンアミンのアルキレンオキシド付加体が挙げられる。具体的には、商品名「Ｓｏｋａｌａｎ  ＨＰ２０」（ＢＡＳＦ社製）等が挙げられる。
衣料用繊維処理剤組成物が再汚染防止剤を含有する場合、再汚染防止剤の含有量は、衣料用繊維処理剤組成物の総質量に対し、０．０１〜５質量％が好ましい。
【０１０９】
（減粘剤（可溶化剤））
減粘剤（可溶化剤ともいう。ただし、上述した有機溶剤を除く。）としては、トリエチレングリコール、テトラエチレングリコール、平均分子量約２００のポリエチレングリコール、平均分子量約４００のポリエチレングリコール、平均分子量約１０００のポリエチレングリコール、ジプロピレングリコール等のグリコール類、パラトルエンスルホン酸又はその塩、クメンスルホン酸又はその塩、安息香酸又はその塩、尿素等が挙げられる。
衣料用繊維処理剤組成物が減粘剤を含有する場合、減粘剤の含有量は、衣料用繊維処理剤組成物の総質量に対し、０．０１〜１５質量％が好ましい。
【０１１０】
（風合い向上剤）
衣料用繊維処理剤組成物は、乾燥後の風合いを良くするために、風合い向上剤を配合してもよい。風合い向上剤としては、変性基を有するシリコーンオイルが挙げられ、例えば、ポリエーテル変性シリコーン、アミノポリエーテル変性シリコーン、アミドポリエーテル変性シリコーン、アルキルポリエーテル変性シリコーン等が挙げられる。風合い向上剤が配合されていることで、繊維製品等の浴中摩擦が低減し、レーヨンを含む繊維のすべり感がより高まる。
【０１１１】
風合い向上剤の市販品としては、例えば、東レ・ダウコーニング（株）製の「ＣＦ１１８８Ｎ」、「ＢＹ１６−８７８」、「ＢＹ１６−８９１」、「ＢＹ１６−８９３」、「ＦＶ２０９０−０１」、「ＳＩＬＳＴＹＬＥ１０４」、「ＳＦ８４１７」、「ＳＦ８４１８」、「ＢＹ１６−８３７」、「ＢＹ１６−９０６」、「ＦＺ−２２０３」、「ＦＺ−３７８９」等、信越化学工業（株）製の「ＫＦ−８７７」、「ＫＦ−８８９」、「Ｘ−２２−３９３９Ａ」等、旭化成ワッカーシリコーン（株）製の「ＷｅｔＳｏｆｔ（登録商標）ＣＴＡ」、「ＷｅｔＳｏｆｔ（登録商標）ＡＥ２００」、「ＷｅｔＳｏｆｔ（登録商標）ＮＥ８１０」、「ＷｅｔＳｏｆｔ（登録商標）ＮＥ８２０」、「ＷｅｔＳｏｆｔ（登録商標）ＷＰ２０１」等が挙げられる。
衣料用繊維処理剤組成物が風合い向上剤を含有する場合、風合い向上剤の含有量は、衣料用繊維処理剤組成物の総質量に対して、０．５〜５質量％が好ましい。
【０１１２】
（防腐剤）
防腐剤としては、例えば、ダウ・ケミカル社製の商品名「ケーソンＣＧ」、商品名「ＲＯＣＩＭＡ６４０」、ソー・ジャパン（株）製の商品名「アクチサイドＭＢＳ」、商品名「アクチサイドＭ２０」、クラリアント社製の商品名「ＮＩＰＡＣＩＤＥ  ＢＩＴ  ２０」等が挙げられる。
衣料用繊維処理剤組成物が防腐剤を含有する場合、防腐剤の含有量は、衣料用繊維処理剤組成物の総質量に対して、０．００１〜１質量％が好ましい。
【０１１３】
（酸化防止剤）
酸化防止剤としては、ブチルヒドロキシトルエン、ジスチレン化クレゾール、亜硫酸ナトリウム、亜硫酸水素ナトリウム等が挙げられる。
衣料用繊維処理剤組成物が酸化防止剤を含有する場合、酸化防止剤の含有量は、衣料用繊維処理剤組成物の総質量に対して、０．０１〜２質量％が好ましい。
【０１１４】
（着色剤）
着色剤としては、例えば、アシッドレッド１３８、Ｐｏｌａｒ  Ｒｅｄ  ＲＬＳ、アシッドイエロー２０３、アシッドブルー９、青色１号、青色２０５号、青色４０３号、緑色３号、緑色２０２号、赤色１０６号、黄色２０３号、ターコイズＰ−ＧＲ（いずれも商品名）、ＢＬＵＥ  ＨＰ（ミリケン社製、商品名「ＬＩＱＵＩＴＩＮＴ  Ｂｌｕｅ  ＨＰ」）等の汎用の色素や顔料等が挙げられる。
衣料用繊維処理剤組成物が着色剤を含有する場合、着色剤の含有量は、衣料用繊維処理剤組成物の総質量に対して、０．００００５〜０．００５質量％が好ましい。
【０１１５】
（香料）
香料としては、例えば、特開２００２−１４６３９９号公報に記載の香料成分、特開２０１８−１７８３０５号公報に記載の香料成分等が挙げられる。また、カプセル香料（香料を含むカプセル粒子）を配合してもよい。
衣料用繊維処理剤組成物が香料を含有する場合、香料の含有量は、衣料用繊維処理剤組成物の総質量に対して、０．０１〜２質量％が好ましい。
【０１１６】
（天然物等のエキス）
天然物等のエキスとしては、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウ等の植物が挙げられる。
天然物等のエキスの含有量は、衣料用繊維処理剤組成物の総質量に対して、０〜０．５質量％が好ましい。
天然物等のエキスは、１種単独で用いてもよく、２種以上を併用してもよい。
【０１１７】
（ｐＨ調整剤）
ｐＨ調整剤としては、例えば、硫酸、塩酸等の酸性化合物；モノエタノールアミン、ジエタノールアミン、トリエタノールアミン等のアルカノールアミン、水酸化ナトリウム、水酸化カリウム等のアルカリ性化合物が挙げられる。ｐＨ調整剤としては、硫酸、水酸化ナトリウム、水酸化カリウム、アルカノールアミンが好ましく、硫酸、水酸化ナトリウムがより好ましい。
ｐＨ調整剤は、１種単独で用いてもよく、２種以上を併用してもよい。
ただし、ｐＨ調整剤を除く上述した各成分のみで、衣料用繊維処理剤組成物が所望のｐＨとなる場合は、ｐＨ調整剤を用いなくてもよい。
【０１１８】
本発明の衣料用繊維処理剤組成物は、洗浄剤組成物又は柔軟剤組成物を含む。
衣料用繊維処理剤組成物が洗浄剤組成物の場合、２５℃におけるｐＨは４〜１０が好ましく、４〜９がより好ましく、４〜８がさらに好ましい。
衣料用繊維処理剤組成物が柔軟剤組成物の場合、２５℃におけるｐＨは１〜６が好ましく、２〜４がより好ましい。
２５℃におけるｐＨが上記数値範囲内であると、衣料用繊維処理剤組成物の保存安定性を良好に維持できる。
衣料用繊維処理剤組成物のｐＨは、必要に応じて、ｐＨ調整剤を添加することにより調整できる。
なお、本明細書において、ｐＨは、測定対象を２５℃とし、ｐＨメーター（製品名：ＨＭ−３０Ｇ、東亜ディーケーケー（株）製）により測定される値を意味する。
【０１１９】
なお、本発明の衣料用繊維処理剤組成物を構成する成分の合計量は、１００質量％を超えない。
【０１２０】
［衣料用繊維処理剤組成物の製造方法］
本発明の衣料用繊維処理剤組成物は、従来公知の方法により、（Ａ）成分、（Ｂ）成分、（Ｃ）成分と、必要に応じて任意成分とを混合し、ｐＨ調整剤を用いて所定のｐＨに調整することによって製造できる。
【０１２１】
［衣料用繊維処理剤組成物の使用方法］
衣料用繊維処理剤組成物の使用方法は、例えば、衣料用繊維処理剤組成物を洗濯機の洗浄剤の投入口に入れてから洗濯機を稼働させる方法、衣料用繊維処理剤組成物を洗濯時に被洗物と一緒に水に投入する方法、衣料用繊維処理剤組成物を予め水に溶解して調製される衣料用繊維処理剤組成物の水溶液に被洗物を浸漬する方法等が挙げられる。また、衣料用繊維処理剤組成物を被洗物に直接塗布して、例えば、３分〜２４時間放置し、その後、通常の洗濯を行ってもよい（塗布洗浄）。
前記衣料用繊維処理剤組成物の水溶液中の衣料用繊維処理剤組成物の含有量は、特に限定されない。水に対する衣料用繊維処理剤組成物の添加量は、例えば、水３０Ｌ当たり、４０ｍＬが好ましい。
【実施例】
【０１２２】
以下に実施例を用いて本発明をさらに詳しく説明するが、本発明はこれら実施例に限定されるものではない。
本実施例において使用した原料は、下記の［使用原料］に示す通りである。
【０１２３】
［使用原料］
＜（Ａ）成分＞
Ａ−１：ジメチルジアリルアンモニウム・アクリルアミドコポリマー（ジメチルジアリルアンモニウムとアクリルアミドとのモル比３０：７０、質量平均分子量１６０万）、商品名「Ｎｏｖｅｒｉｔｅ３００」、Ｌｕｂｒｉｚｏｌ社製。
Ａ−２：ジメチルジアリルアンモニウム・アクリル酸コポリマー（ジメチルジアリルアンモニウムとアクリル酸とのモル比８０：２０、質量平均分子量５０万）、商品名「Ｎｏｖｅｒｉｔｅ３０１」、Ｌｕｂｒｉｚｏｌ社製。
Ａ−３：ジメチルジアリルアンモニウム・アクリルアミドコポリマー（ジメチルジアリルアンモニウムとアクリルアミドとのモル比３０：
７０、質量平均分子量１２万）、商品名「Ｎｏｖｅｒｉｔｅ３０２」、Ｌｕｂｒｉｚｏｌ社製。
Ａ−４：ジメチルジアリルアンモニウムポリマー（質量平均分子量１５万）、商品名「マーコート１００」、Ｌｕｂｒｉｚｏｌ社製。
Ａ’−１（（Ａ）成分の比較成分）：カチオン化ヒドロキシエチルセルロース（質量平均分子量２０万〜８０万）、商品名「ＨＣＧ  ＳＵＰＲＡＣＡＲＥ２１２」、ダウ・ケミカル社製。
【０１２４】
＜（Ｂ）成分＞
Ｂ−１：ステアリン酸ジメチルアミノプロピルアミド、商品名「アミドアミンＡＰＡ１６８−６５Ｅ」、脂肪酸（Ｃ１６／Ｃ１８）ジメチルアミノプロピルアミド、ステアリン酸／パルミチン酸の質量比＝７／３、ライオン（株）製。
【０１２５】
＜（Ｃ）成分＞
（（ｃ１）成分）
ｃ１−１：Ｃ１３Ｈ２７Ｏ（ＥＯ）７Ｈ（式（ｃ−１）中、Ｒ２１が分岐鎖を有する炭素数１３のアルキル基であり、ｍが７、ｎが０である化合物）、商品名「Ｌｕｔｅｎｓｏｌ（登録商標）ＴＯ−７」、ＢＡＳＦ社製。
ｃ１−２：式（ｃ−１）中、Ｒ２１が炭素数１２〜１４の第２級アルコールに、３モル相当のエチレンオキシドを付加した化合物（式（ｃ−１）中、Ｒ２１が炭素数１２〜１４の第２級アルキル基であり、ｍが３、ｎが０である化合物）、商品名「ソフタノール（登録商標）３０」、（株）日本触媒製。
ｃ１−３：式（ｃ−１）中、Ｒ２１が炭素数１２〜１４の第２級アルコールに、５モル相当のエチレンオキシドと、３．５モル相当のプロピレンオキシドとを付加した化合物（式（ｃ−１）中、Ｒ２１が炭素数１２〜１４の第２級アルキル基であり、ｍが５、ｎが３．５である化合物）、商品名「ソフタノール（登録商標）ＥＰ５０３５」、（株）日本触媒製。
（（ｃ２）成分）
ｃ２−１：炭素数１２又は１４の直鎖状の天然アルコール（商品名「ＣＯ−１２７０」、プロクター・アンド・ギャンブル社製）に対して、平均１２モル相当のエチレンオキシドを付加したもの。
ｃ２−２：炭素数１２又は１４の直鎖状の天然アルコール（商品名「ＣＯ−１２７０」、プロクター・アンド・ギャンブル社製）に対して、平均１０モル相当のエチレンオキシドを付加したもの。
ｃ２−３：１級イソトリデシルアルコール（商品名「Ｌｕｔｅｎｓｏｌ（登録商標）ＴＯ３」、ＢＡＳＦ社製）に対して、平均６０モル相当のエチレンオキシドを付加したもの。
【０１２６】
＜任意成分＞
（（Ｄ）成分）
Ｄ−１：炭素数１０〜１４の直鎖アルキルベンゼンスルホン酸（ＬＡＳ）、商品名「ライポン（登録商標）ＬＨ−２００」、ライオン（株）製。
（（Ｅ）成分）
Ｅ−１：クエン酸、商品名「クエン酸」、ライオン（株）製。
（（Ｆ）成分）
Ｆ−１：ポリクオタニウム−１１３（ＡＡＰＴＡＣ、ＡＭＰＳ、塩化ドデシルジメチルアミノプロピルメタクリルアミドの共重合体）の２０質量％水溶液、商品名「クロモハンス１１３」、アッシュランド・ジャパン（株）製。
（その他の任意成分）
ヤシ脂肪酸：商品名「椰子脂肪酸」、日油（株）製。
ＰＯＥ変性シリコーン：ポリエーテル変性シリコーン、商品名「ＣＦ１１８８Ｎ」、東レ・ダウコーニング（株）製。
再汚染防止剤：ソイルリリースポリマー（質量平均分子量２０００〜５０００）、商品名「ＴｅｘＣａｒｅ  ＳＲＮ−１７０Ｃ」、クラリアントジャパン（株）製。
安息香酸Ｎａ：商品名「安息香酸ナトリウム」、東亞合成（株）製。
香料１：特開２００２−１４６３９９号公報の表１１〜１８に記載の香料組成物Ａ。
香料２：特開２０１８−１７８３０５号公報の表１に記載の香料組成物。
ＢＨＴ：ジブチルヒドロキシトルエン、商品名「ＳＵＭＩＬＺＥＲ  ＢＨＴ−Ｒ」、住友化学（株）製。
色素：Ｃ．Ｉ．（カラーインデックス）アシッドレッド１３８、商品名「カヤノール（登録商標）ミリング」、日本化薬（株）製。
ＢＩＴ：防腐剤、１，２−ベンゾイソチアゾリン−３−オン、商品名「ＮＩＰＡＣＩＤＥ
ＢＩＴ  ２０」、クラリアントジャパン（株）製。
ＭＢＳ：防腐剤、２−メチル−４−イソチアゾリン−３−オンと１，２−ベンゾイソチアゾリン−３−オンとの混合物、商品名「アクチサイドＭＢＳ」、ソー・ジャパン（株）製。
ＮａＯＨ：商品名「水酸化ナトリウム」、東亞合成（株）製。
（Ｂ）成分を除くカチオン界面活性剤：特開２００３−１２４７１号公報の実施例４に記載のカチオン界面活性剤。
アミノ変性シリコーン：アミノ変性シリコーン、商品名「Ｘ５２８３６９」、信越化学（株）製。
塩化カルシウム：商品名「塩化カルシウム」、富士フィルム和光純薬（株）製。
エタノール：商品名「特定アルコール９５度合成」、日本アルコール販売（株）製。
ＰＥＧ＃１０００：ポリエチレングリコール、商品名「ＰＥＧ＃１０００−Ｌ６０」、ライオン（株）製。
水：イオン交換水。
【０１２７】
［実施例１〜２１、比較例１〜６］
表１〜４の組成に従い、（Ａ）成分〜（Ｃ）成分、及び任意成分を水に加えて混合し、混合液を得た。この混合液のｐＨが７．３となるようにｐＨ調整剤を適量添加して衣料用繊維処理剤組成物を得た。
得られた各組成物について下記評価法により、すべり感、液体安定性、洗浄力を評価した。結果を表１〜５に示す。
なお、表中の各成分の配合量の単位は「質量％」であり、純分換算量を示す。表中の「適量」は、各例の衣料用繊維処理剤組成物のｐＨを７．３にするのに要したｐＨ調整剤の量である。表中の「バランス」は、各例の衣料用繊維処理剤組成物に含まれる全配合成分の合計の配合量（質量％）が１００質量％となるように水が配合されていることを意味する。表中の「−」は、その成分が配合されていないことを示す。
【０１２８】
＜すべり感の評価＞
（官能評価）
全自動電気洗濯機（パナソニック（株）製、品番「NA-VX7600L」）に、各例の衣料用繊維処理剤組成物を４０ｇ投入し、そこへ市販のレーヨンブラウス（（株）ユニクロ製、レーヨン１００質量％）、レーヨンエアリーブラウス（（株）ユニクロ製、レーヨン７６質量％、ポリエステル２４質量％）各１枚を入れた。さらに、衣類量が合計１．５ｋｇになるように市販のシャツ（（株）フジボウアパレル製、「B.V.D GOLD  丸首半袖シャツ」（綿１００％））を７枚入れた。１５℃の３°ＤＨ硬水を使用し、おうちクリーニングコース（洗濯１０分、注水すすぎ１回、脱水３分設定）にてこれらの衣類を洗濯処理した。
洗濯後の各ブラウスを、直射日光の当たらない場所で一晩平干しして乾燥させた。この洗濯と乾燥を３回繰り返した後、上記の各ブラウスを手のひらでなぞるように触り、すべり感を下記評価基準に基づいて評価した。
対照布は、各例の衣料用繊維処理剤組成物に代えて、標準洗剤（ラウリルアルコール１モル当たり平均１５モルのエチレンオキシドを付加させたアルコールエトキシレートの２０質量％水溶液）を用いて、上記と同様に洗濯処理したレーヨンブラウス及びレーヨンエアリーブラウスとした。各ブラウスと、対照布とを一対比較により官能評価を行い、専門パネラー６名の採点結果の平均点を求め、レーヨンを含む繊維のすべり感を判定した。平均点が２点以上の場合を合格とした。
《評価基準》
１点：対照布と同等。
２点：対照布よりややすべり感がある。
３点：対照布よりすべり感がある。
４点：対照布よりかなりすべり感がある。
５点：対照布より非常にすべり感がある。
《判定基準》
◎◎：平均点４点以上。
◎  ：平均点３点以上４点未満。
○  ：平均点２点以上３点未満。
×  ：平均点２点未満。
【０１２９】
（摩擦係数測定）
上記と同様に洗濯処理した市販のレーヨンブラウス（（株）ユニクロ製、レーヨン１００質量％）を２０℃相対湿度６５％の恒温室にて一晩放置後、平均摩擦係数（ＭＩＵ）の測定を行った。表面試験機ＫＥＳ−ＦＢ４にレーヨンブラウスの布片をセットし、測定速度０．１ｃｍ／ｓ、初期張力４００ｇ、摩擦静荷重５０ｇ、接触端子はピアノ線ワイヤーを用いた。測定部位を変えて５カ所測定し、その平均値を算出した。
対照布は、各例の衣料用繊維処理剤組成物に代えて、標準洗剤（ラウリルアルコール１モル当たり平均１５モルのエチレンオキシドを付加させたアルコールエトキシレートの２０質量％水溶液）を用いて、上記と同様に洗濯処理したレーヨンブラウスとした。対照布のＭＩＵを１００としたときのＭＩＵ相対値を求め、下記評価基準に基づいてレーヨンを含む繊維のすべり感を評価した。ＭＩＵ相対値が１００未満の場合を合格とした。
《評価基準》
◎◎：ＭＩＵ相対値が９０未満。
◎  ：ＭＩＵ相対値が９０以上９５未満。
○  ：ＭＩＵ相対値が９５以上１００未満。
×  ：ＭＩＵ相対値が１００以上。
【０１３０】
＜液体安定性の評価＞
各例の衣料用繊維処理剤組成物１００ｍＬを透明のガラス瓶（広口規格びんＰＳ−ＮＯ．１１）に取り、蓋を閉めて５℃の恒温槽で１か月間保存した。保存後の外観を目視で観察し、下記評価基準に基づいて液体安定性（保存安定性）を評価した。判定が◎、○のものを合格とした。
《評価基準》
◎：均一で液体の分離がない。
○：均一だがやや濁りが見られる。
×：液体の分離又は固形分の析出が見られる。
【０１３１】
＜洗浄力の評価＞
モデル皮脂汚れ（質量比：コレステロール／トリオレイン／オレイン酸／スクアレン＝１／１／１／１）を用意し、モデル皮脂汚れを希釈して着色した液体（質量比：モデル皮脂汚れ／ヘキサン／カーボンブラック＝１／２／０．００１）をレーヨン布（市販のレーヨンブラウス（（株）ユニクロ製、レーヨン１００質量％）を５ｃｍ×５ｃｍに裁断したもの）に０．０５ｇ／枚ずつ塗布し、一晩乾燥させて汚染布とした。洗浄試験器として、Ｔｅｒｇ−Ｏ−ｔｏｍｅｔｅｒ（ＵＮＩＴＥＤ  ＳＴＡＴＥＳ  ＴＥＳＴＩＮＧ社製）を用いた。洗濯液として、水（１５℃、５゜ＤＨ）９００ｍＬに対して、各例の衣料用繊維処理剤組成物を１３００ｐｐｍになる様に加え、３０秒間撹拌して調製したものを用いた。
洗浄試験器に、洗濯液と、上記の汚染布１０枚と、洗浄メリヤス布とを投入し、浴比３０倍に合わせて、６０ｒｐｍ、１５℃で１０分間洗浄した。その後、二槽式洗濯機（三菱電機（株）製、製品名「ＣＷ−Ｃ３０Ａ１−Ｈ１」）に移し、１分間脱水後、水３０Ｌ中で１分間濯ぎ、風乾した。
未汚れ布、及び洗浄前後の汚染布について、それぞれ反射率を色差計（日本電色工業（株）製、製品名「ＳＥ２０００」）で測定し、下記式により洗浄率（％）を求めた。ただし、Ｋ／Ｓは、（１−Ｒ／１００）２／（２Ｒ／１００）である（Ｒは、未汚れ布、及び洗浄前後の汚染布の反射率（％）を示す。）。
洗浄率（％）＝（洗浄前の汚染布のＫ／Ｓ−洗浄後の汚染布のＫ／Ｓ）／（洗浄前の汚染布のＫ／Ｓ−未汚れ布のＫ／Ｓ）×１００。
汚染布１０枚についてそれぞれ洗浄率を求め、その平均値を算出し、衣料用繊維処理剤組成物の洗浄率とした。そして、下記評価基準に基づいて洗浄力を評価した。洗浄力が◎、○のものを合格とした。
《評価基準》
◎：洗浄率が４５％以上。
○：洗浄率が３０％以上４５％未満。
×：洗浄率が３０％未満。
【０１３２】
【表１】
2020143257.tif 000013
【０１３３】
【表２】
2020143257.tif 000014
【０１３４】
【表３】
2020143257.tif 000015
【０１３５】
【表４】
2020143257.tif 000016
【０１３６】
表１〜４に示すように、本発明を適用した実施例１〜２１は、すべり感の官能評価の平均点が２点以上、ＭＩＵ相対値が１００未満で、レーヨンを含む繊維のすべり感に優れることが分かった。加えて、本発明を適用した実施例１〜２１は、液体安定性が「◎」又は「○」で、液体安定性に優れることが分かった。
一方、（Ａ）成分を含有しない比較例１、６、（Ａ）成分の代わりに比較成分を用いた比較例２は、レーヨンを含む繊維のすべり感が「×」だった。（Ｂ）成分を含有しない比較例３は、レーヨンを含む繊維のすべり感が「×」だった。（ｃ１）成分を含有しない比較例４は、レーヨンを含む繊維のすべり感が「×」だった。（ｃ２）成分を含有しない比較例５は、洗浄力が「×」だった。
【０１３７】
これらの結果から、本発明の衣料用繊維処理剤組成物によれば、洗濯後のレーヨンを含む繊維のすべり感に優れ、かつ、液体安定性に優れることが分かった。
【０１３８】
また、以下に、（Ｆ）成分を含有する衣料用繊維処理剤組成物の処方例を示す。衣料用繊維処理剤組成物が（Ｆ）成分を含有する場合は、（Ａ）成分を実質的に含んでいなくてもよい。
これらの処方例について、上述の実施例における「すべり感」の評価を行ったところ、いずれの処方例も、良好な結果が得られた。なお、これらの処方例で用いた各成分は、上述の実施例における［使用原料］の段落に記載した。
処方例の各成分の配合量の単位は「質量％」であり、純分換算量を示す。処方例の配合の「適量」は、組成物のｐＨを各例に記載の値にするのに要したｐＨ調整剤の量である。処方例の配合の「バランス」は、各処方例に含まれる全配合成分の合計の配合量（質量％）が１００質量％となるように水が配合されていることを意味する。
【０１３９】
［処方例１］  洗浄剤組成物
（Ｂ）成分：Ｂ−１             １．２
（ｃ１）成分：ｃ１−１                ５
（ｃ２）成分：ｃ２−１              １２
（Ｄ）成分：Ｄ−１             ２
（Ｅ）成分：Ｅ−１             ０．２
（Ｆ）成分：Ｆ−１             ０．３
ヤシ脂肪酸                     ０．５
エタノール                     ２
ＰＥＧ＃１０００               １．５
安息香酸Ｎａ                   ０．５
香料１                       ０．３
ＢＨＴ                       ０．０３
色素                         ０．０００２
ＢＩＴ                       ０．０１
ＭＢＳ                       ０．０１
ｐＨ調整剤                     適量
水   バランス
合計               １００．００質量％。
ｐＨ＝７．３。
【０１４０】
［処方例２］  洗浄剤組成物
（Ｂ）成分：Ｂ−１             ０．３
（ｃ１）成分：ｃ１−２                ２
（ｃ２）成分：ｃ２−２              ２０
（Ｄ）成分：Ｄ−１             ２
（Ｅ）成分：Ｅ−１             ０．２
（Ｆ）成分：Ｆ−１             ０．３
ヤシ脂肪酸                     ０．５
エタノール                     ２
ＰＥＧ＃１０００               １．５
安息香酸Ｎａ                   ０．５
香料１                       ０．３
ＢＨＴ                       ０．０３
色素                         ０．０００２
ＢＩＴ                       ０．０１
ＭＢＳ                       ０．０１
ｐＨ調整剤                     適量
水   バランス
合計               １００．００質量％。
ｐＨ＝７．３。
【０１４１】
［処方例３］  洗浄剤組成物
（Ｂ）成分：Ｂ−１             ０．３
（ｃ１）成分：ｃ１−３                ２
（ｃ２）成分：ｃ２−２              ２０
（Ｄ）成分：Ｄ−１             ２
（Ｅ）成分：Ｅ−１             ０．２
（Ｆ）成分：Ｆ−１             ０．３
ヤシ脂肪酸                     ０．５
エタノール                     ２
ＰＥＧ＃１０００               １．５
安息香酸Ｎａ                   ０．５
香料１                       ０．３
ＢＨＴ                       ０．０３
色素                         ０．０００２
ＢＩＴ                       ０．０１
ＭＢＳ                       ０．０１
ｐＨ調整剤                     適量
水   バランス
合計               １００．００質量％。
ｐＨ＝７．３。
【０１４２】
［処方例４］  柔軟剤組成物
（Ｂ）成分：Ｂ−１                    １．２
（ｃ１）成分：ｃ１−１                       ５．０
（ｃ２）成分：ｃ２−３                       ２．０
（Ｆ）成分：Ｆ−１                    ０．３
（Ｂ）成分を除くカチオン界面活性剤   １５
アミノ変性シリコーン                  ２．０
エタノール                            ２．０
塩化カルシウム                               ０．５
香料２                              １．０
色素                                ０．００１
ＢＩＴ                              ０．０１５
ｐＨ調整剤                            適量
水   バランス
合計                      １００．００質量％。
ｐＨ＝２．５。